(57)【要約】【課題】媒体の撮像精度が低下することを抑制できる液体噴射装置を提供する。【解決手段】プリンターは、連続紙を搬送する搬送部と、搬送部により搬送された連続紙にインクを噴射する噴射部と、搬送部により搬送された連続紙を噴射部と対向するように支持することが可能な支持面を有する媒体支持部とを含む。プリンターは、媒体支持部のうち搬送部により搬送された連続紙と面する位置に取り付けられている透光ガラス５０と、透光ガラス５０の表面５１ａ上を通過する連続紙の像を撮像する撮像部を含む。プリンターは、撮像部が撮像した像に基づいて、搬送部による連続紙の搬送量を制御する制御部、及び、透光ガラス５０の表面５１ａ上に気流を発生させる吸引ファンを含む。透光ガラス５０の表面５１ａには、帯電防止膜６１が成膜されている。【選択図】図６
2015189532.tif 000002
【特許請求の範囲】
【請求項１】
媒体を搬送する搬送部と、
前記搬送部により搬送された前記媒体に液体を噴射する噴射部と、
前記搬送部により搬送された前記媒体を前記噴射部と対向するように支持することが可能な支持面を有する媒体支持部と、
前記媒体支持部のうち前記搬送部により搬送された前記媒体と面する位置に取り付けられている透光部材と、
前記透光部材の表面上を通過する前記媒体の像を撮像する撮像部と、
前記撮像部が撮像した像に基づいて、前記搬送部による前記媒体の搬送量を制御する制御部と、
前記透光部材の表面上に気流を発生させる気流発生部と
を備え、
前記透光部材の表面に帯電防止膜が成膜されている
液体噴射装置。
【請求項２】
前記帯電防止膜は、前記透光部材の表面のうち前記撮像部により光が照射される領域である照射領域を少なくとも含む所定領域に成膜され、
前記透光部材は、前記所定領域に導電部材が取り付けられていることにより接地されている
請求項１に記載の液体噴射装置。
【請求項３】
前記透光部材は、一方の面及び前記一方の面と反対側の面である他方の面を有し、
前記一方の面及び前記他方の面のいずれかの面が前記表面に相当し、
前記帯電防止膜は、前記一方の面及び前記他方の面の両方に成膜されている
請求項１又は２に記載の液体噴射装置。
【請求項４】
前記透光部材の表面は、前記支持面よりも前記噴射部から離れて位置する
請求項１〜３のいずれか一項に記載の液体噴射装置。
【請求項５】
前記媒体支持部は、前記支持面により支持した前記媒体を前記気流発生部の駆動に伴い吸引することが可能な吸引孔を有し、
前記吸引孔は、前記媒体支持部のうち前記気流発生部の駆動に伴い前記透光部材の表面に沿う気流を発生させ得る位置に形成されている
請求項１〜４のいずれか一項に記載の液体噴射装置。
【発明の詳細な説明】
【技術分野】
【０００１】
本発明は、撮像部を有する液体噴射装置に関する。
【背景技術】
【０００２】
インク等の液体を噴射部から用紙等の媒体に噴射する液体噴射装置として、媒体を支持する媒体支持部に撮像部を設け、その撮像部によって媒体支持部上を通過する媒体の裏面のテクスチャーを撮像し、撮像された画像に基づいて媒体の搬送量を検出するようにした液体噴射装置が知られている。このような液体噴射装置において、媒体支持部の支持面には、撮像部からの光を媒体の裏面に向けて照射させるための開口部が形成されている。そして、この開口部には、光の透過を許容する一方で、撮像部内への塵埃等の異物の進入を抑制するための透光部材が配置されている（例えば、特許文献１参照）。
【先行技術文献】
【特許文献】
【０００３】
【特許文献１】特開２０１３−１１９４３９号公報
【発明の概要】
【発明が解決しようとする課題】
【０００４】
ところで、透光部材は、例えば、搬送される用紙との摩擦により発生した静電気により摩擦帯電することがある。一方、液体噴射装置の内部、例えば、媒体支持部及びその周辺には、用紙の表面繊維が剥離して粉状になった紙粉、及び、塵埃等の異物が存在することがある。このため、これらの異物が静電誘導により透光部材の表面に引き寄せられることがある。透光部材の表面に引き寄せられた異物が透光部材の表面に付着した場合、撮像部が照射した光が異物で反射する。このため、異物のテクスチャーが撮像されることにより、用紙の裏面のテクスチャーの撮像精度が低下するおそれがある。
【０００５】
本発明の目的は、媒体の撮像精度が低下することを抑制できる液体噴射装置を提供することである。
【課題を解決するための手段】
【０００６】
以下、上記課題を解決するための手段及びその作用効果について記載する。
上記課題を解決する液体噴射装置は、媒体を搬送する搬送部と、前記搬送部により搬送された前記媒体に液体を噴射する噴射部と、前記搬送部により搬送された前記媒体を前記噴射部と対向するように支持することが可能な支持面を有する媒体支持部と、前記媒体支持部のうち前記搬送部により搬送された前記媒体と面する位置に取り付けられている透光部材と、前記透光部材の表面上を通過する前記媒体の像を撮像する撮像部と、前記撮像部が撮像した像に基づいて、前記搬送部による前記媒体の搬送量を制御する制御部と、前記透光部材の表面上に気流を発生させる気流発生部とを備え、前記透光部材の表面に帯電防止膜が成膜されている。
【０００７】
本液体噴射装置によれば、透光部材の表面に帯電防止膜が成膜されているため、透光部材が帯電しにくい。このため、紙粉及び塵埃等の異物が静電誘導により透光部材の表面に引き寄せられにくい。これにより、透光部材の表面に異物が付着しにくい。また、仮に、静電誘導又は静電誘導以外の要因で透光部材の表面に異物が付着した場合、気流発生部が発生する気流により透光部材の表面から異物が取り除かれる。このように、透光部材の表面に異物が存在しにくくなるため、撮像部による媒体の撮像精度が低下することが抑制される。
【０００８】
また、上記液体噴射装置において、前記帯電防止膜は、前記透光部材の表面のうち前記撮像部により光が照射される領域である照射領域を少なくとも含む所定領域に成膜され、前記透光部材は、前記所定領域に導電部材が取り付けられていることにより接地されていることが好ましい。
【０００９】
本液体噴射装置によれば、透光部材は、照射領域を少なくとも含む所定領域に取り付けられた導電部材により接地されているため、照射領域が帯電することがより抑制される。このため、撮像部による媒体の撮像精度が低下することがより抑制される。
【００１０】
また、上記液体噴射装置において、前記透光部材は、一方の面及び前記一方の面と反対側の面である他方の面を有し、前記一方の面及び前記他方の面のいずれかの面が前記表面に相当し、前記帯電防止膜は、前記一方の面及び前記他方の面の両方に成膜されていることが好ましい。
【００１１】
透光部材の一方の面及び他方の面のうち、媒体と面する面となる表面は、製造者が透光部材を媒体支持部に組み付けるときに決定される。本液体噴射装置によれば、帯電防止膜が透光部材の一方の面及び他方の面の両方に成膜されているため、製造者は、透光部材を媒体支持部に組み付けるときに、透光部材の一方の面及び他方の面のいずれの面も表面として選択することができる。このため、透光部材を媒体支持部に組み付けるときの作業効率が高められる。
【００１２】
また、上記液体噴射装置において、前記透光部材の表面は前記支持面よりも前記噴射部から離れて位置することが好ましい。
本液体噴射装置によれば、搬送部により搬送された媒体は透光部材の表面よりも噴射部に近い媒体支持部の支持面により支持されるため、媒体の裏面と透光部材の表面とが直接的に接触しにくい。これにより、透光部材が摩擦帯電しにくい。
【００１３】
また、上記液体噴射装置において、前記媒体支持部は、前記支持面により支持した前記媒体を前記気流発生部の駆動に伴い吸引することが可能な吸引孔を有し、前記吸引孔は、前記媒体支持部のうち前記気流発生部の駆動に伴い前記透光部材の表面に沿う気流を発生させ得る位置に形成されていることが好ましい。
【００１４】
本液体噴射装置によれば、透光部材の表面上に存在している異物は、気流発生部が発生させた気流により、媒体支持部が有する吸引孔を介して取り除かれやすい。
【図面の簡単な説明】
【００１５】
【図１】（ａ）は一実施形態のインクジェット式プリンターの概略構成図、（ｂ）は（ａ）の給紙ローラー対及びその周辺の拡大図。
【図２】（ａ）は媒体支持部の一部の平面図、（ｂ）は（ａ）における第１凹部及び第２凹部の拡大図。
【図３】図１の３−３線の断面図。
【図４】図３の一点鎖線円Ａの拡大図。
【図５】第１凹部及びその周辺の斜視図。
【図６】透光ガラス、帯電防止膜、及び、防汚処理膜の断面図。
【図７】媒体支持部の一部の平面図。
【発明を実施するための形態】
【００１６】
以下、液体噴射装置をインクジェット式プリンターに具体化した一実施形態を図面に従って説明する。
図１（ａ）に示すように、液体噴射装置の一例としてのインクジェット式プリンター（以下、「プリンター１１」）は、媒体の一例である長尺シート状の連続紙Ｐを搬送する搬送装置１２と、搬送装置１２によって搬送される連続紙Ｐに対してインクを噴射して印刷を行う噴射部１７とを備えている。また、プリンター１１は、搬送装置１２と噴射部１７とを制御する制御部１８を備えている。
【００１７】
搬送装置１２は、連続紙Ｐを繰り出す繰出部１４と、繰出部１４から繰り出され、噴射部１７によって印刷が行われた連続紙Ｐを巻き取る巻取部１５とを備えている。図１では、連続紙Ｐにおける搬送方向Ｙ（図１の左方向）の上流側となる右側の位置に繰出部１４が配置される一方、下流側となる左側の位置に巻取部１５が配置されている。
【００１８】
噴射部１７は、繰出部１４と巻取部１５との間の位置に連続紙Ｐの搬送経路と対向するように配置されている。噴射部１７における連続紙Ｐの搬送経路と対向する面には、連続紙Ｐにインクを噴射するための複数のノズル１７ａが形成されている。
【００１９】
またプリンター１１において、噴射部１７に対して連続紙Ｐの搬送経路を挟んで対向する位置には、連続紙Ｐを支持する媒体支持部２０が配置されている。媒体支持部２０は、噴射部１７側とは反対側となる下面側に口部２１が形成された有底四角箱状である。
【００２０】
媒体支持部２０の下面には、気流発生部の一例として、媒体支持部２０の内部空間２２内の空気を吸引する吸引ファン２８が口部２１を塞ぐように取り付けられている。媒体支持部２０における噴射部１７との対向する位置には、搬送される連続紙Ｐを支持する水平な支持面２０ａが形成されている。媒体支持部２０には、連続紙Ｐを支持面２０ａに吸着するための複数の吸引孔２３が形成されている。各吸引孔２３は、媒体支持部２０の内部空間２２と連通している。吸引ファン２８は、回転駆動することにより口部２１を吸気口として吸気する。これにより、内部空間２２及び吸引孔２３を介して連続紙Ｐ及び媒体支持部２０の間の空間が負圧となる。このため、連続紙Ｐを支持面２０ａに吸着させるための吸引力が連続紙Ｐに付与される。
【００２１】
媒体支持部２０の下部には、連続紙Ｐの搬送量を非接触に検出するための撮像部３０が取り付けられている。撮像部３０は、連続紙Ｐの裏面（非印刷面）のテクスチャーを撮像し、撮像部３０の下部に取り付けられた制御部１８に画像を送信する。制御部１８は、撮像部３０から送信された画像に基づいて既知の手法により連続紙Ｐの搬送量を制御する。
【００２２】
繰出部１４には、連続紙Ｐの搬送方向Ｙと直交する方向である連続紙Ｐの幅方向Ｘ（図１では紙面と直交する方向）に延びる繰出軸１４ａが回転駆動可能に取り付けられている。繰出軸１４ａには、連続紙Ｐが予めロール状に巻かれた状態で繰出軸１４ａと一体回転可能に支持されている。そして、繰出軸１４ａが回転駆動することにより、繰出軸１４ａから連続紙Ｐがその搬送経路の下流側に向かって繰り出される。
【００２３】
繰出軸１４ａの左斜め下方には、繰出軸１４ａから搬送される連続紙Ｐを挟持しながら支持面２０ａに導く搬送部の一例である給紙ローラー対１３が配置されている。給紙ローラー対１３は、媒体支持部２０の搬送方向Ｙの上流側端部に搬送方向Ｙにおいて隣り合う位置に配置されている。給紙ローラー対１３は、回転駆動可能に取り付けられた給紙ローラー１３ａと、この給紙ローラー１３ａの回転に従動する紙押さえローラー１３ｂとを有している。なお、図１（ｂ）に示すように、給紙ローラー１３ａと紙押さえローラー１３ｂとにより連続紙Ｐを挟持する位置は、媒体支持部２０の支持面２０ａよりも上側に位置している。
【００２４】
図１（ａ）に示すように、連続紙Ｐの搬送経路における支持面２０ａの搬送方向Ｙの下流側には、連続紙Ｐにおける印刷済みの領域の張力を調整するためのテンションローラー１６が配置されている。連続紙Ｐの搬送経路におけるテンションローラー１６の下流側には、巻取部１５が配置されている。
【００２５】
巻取部１５には、連続紙Ｐの幅方向Ｘに延びる巻取軸１５ａが回転駆動可能に取り付けられている。そして、巻取軸１５ａが回転駆動することでテンションローラー１６側から搬送される印刷済みの連続紙Ｐが巻取軸１５ａによって順次巻き取られる。
【００２６】
次に、図２及び図３を参照して、媒体支持部２０の詳細な構成について説明する。
図２（ａ）に示すように、媒体支持部２０には、噴射部１７（図１参照）側に開口し、支持面２０ａから下方に凹む複数の第１凹部２４と、第１凹部２４と同様に凹む一方、第１凹部２４とは形状が異なる凹部である複数の第２凹部２６とが形成されている。複数の第１凹部２４及び複数の第２凹部２６における各々の搬送方向Ｙの上流側端部は、媒体支持部２０の搬送方向Ｙの上流側端部に形成されている。
【００２７】
複数の第１凹部２４及び複数の第２凹部２６は、媒体支持部２０において噴射部１７によりインクを連続紙Ｐに向けて噴射する領域である印刷領域に形成されている。複数の第１凹部２４は、幅方向Ｘに所定の間隔をおいて並ぶように形成されている。一方、複数の第２凹部２６は、プリンター１１で使用が予定されている複数種類の連続紙Ｐの各幅方向Ｘのサイズに応じて、基準となる一端（図２（ａ）では右端）に形成された一つの第２凹部２６（以下、「第２凹部２６Ｋ」ともいう。）からの幅方向Ｘにおける距離を相違させた複数個所にそれぞれ形成されている。なお、幅方向Ｘにおいて、第２凹部２６Ｋ以外の各第２凹部２６の両側には、第１凹部２４が形成されている。
【００２８】
また、幅方向Ｘにおいて隣り合う第１凹部２４の間には、幅方向Ｘに隣り合う第１凹部２４の境界を構成し、且つ連続紙Ｐを支持する支持壁２７Ａが形成されている。この支持壁２７Ａは、搬送方向Ｙが長手方向となり、第１凹部２４を構成する周壁の一部を形成している。また、幅方向Ｘにおいて隣り合う第１凹部２４と第２凹部２６との間には、幅方向Ｘにおいて隣り合う第１凹部２４と第２凹部２６との境界を構成し、且つ連続紙Ｐを支持する支持壁２７Ｂが形成されている。この支持壁２７Ｂは、搬送方向Ｙが長手方向となり、第１凹部２４を構成する周壁の一部及び第２凹部２６を構成する周壁の一部を形成している。全ての第１凹部２４及び全ての第２凹部２６の搬送方向Ｙの上流側端部には、媒体支持部２０の搬送方向Ｙの上流側端部を構成する支持壁２７Ｃが形成されている。支持壁２７Ｃは、幅方向Ｘが長手方向となり、第１凹部２４及び第２凹部２６を構成する周壁の一部を構成している。支持壁２７Ａの上面、支持壁２７Ｂの上面、及び、支持壁２７Ｃの上面は、媒体支持部２０の支持面２０ａの一部を構成している。
【００２９】
第１凹部２４内には、搬送方向Ｙの下流側に向けて延びるリブ２５が形成されている。リブ２５は、第１凹部２４の底面２４ａから噴射部１７側に向けて立ち上がっている。第１凹部２４の底面２４ａからリブ２５の上面までの高さ寸法は、第１凹部２４の底面２４ａから支持面２０ａまでの高さ寸法と同じであり、この点で、リブ２５の上面は支持面２０ａの一部を構成している。リブ２５は、搬送方向Ｙにおいて、第１凹部２４の搬送方向Ｙの上流側端部から下流側に向けて延びている。リブ２５の下流側端部は、第１凹部２４の搬送方向Ｙの中央部よりも上流側に位置している。また、各第１凹部２４において、リブ２５よりも搬送方向Ｙの下流側には、吸引孔２３が形成されている。このため、第１凹部２４は、吸引孔２３を介して媒体支持部２０の内部空間２２（図１参照）と連通している。
【００３０】
図２（ｂ）に示すように、２個の第２凹部２６により幅方向Ｘに挟まれた、幅方向Ｘに隣り合う２個の第１凹部２４内において、搬送方向Ｙの上流側寄りの領域には開口部２４ｂが形成されている。この開口部２４ｂには、撮像部３０の一部が下方側から挿入されている。すなわち、撮像部３０は、開口部２４ｂを介して連続紙Ｐの裏面を撮像している。なお、以下の説明において、第１凹部２４のうち、開口部２４ｂが形成されている２個の第１凹部２４を「第１凹部２４Ａ」及び「第１凹部２４Ｂ」と称する。第１凹部２４Ａ，２４Ｂは、その搬送方向Ｙの寸法が他の第１凹部２４の搬送方向Ｙの寸法よりも大きい。
【００３１】
一方、第２凹部２６は、噴射部１７（図１参照）から連続紙Ｐに噴射されたインクを受容することが可能な開口形状を有している。第２凹部２６は、幅方向Ｘの寸法が第１凹部２４の幅方向Ｘの寸法よりも僅かに小さい。また、第２凹部２６は、搬送方向Ｙの寸法が第１凹部２４Ａ，２４Ｂ以外の第１凹部２４の搬送方向Ｙの寸法よりも大きい開口を有する。なお、以下の説明において、第１凹部２４Ａに対して幅方向Ｘに隣り合う第２凹部２６を「第２凹部２６Ａ」と称し、第１凹部２４Ｂに対して幅方向Ｘに隣り合う第２凹部２６を「第２凹部２６Ｂ」と称する。
【００３２】
次に、図３〜図５を参照して、撮像部３０の詳細な構成について説明する。なお、図３及び図４においては、透光ガラス５０に成膜されている帯電防止膜６１及び防汚処理膜６２（共に図６参照）の図示を省略している。
【００３３】
図３に示すように、撮像部３０は、上下方向Ｚに延びる円筒状の鏡筒３１を備えている。鏡筒３１は、その上端部においてねじ３８（図２（ｂ）参照）により媒体支持部２０に固定され、その下端部においてねじ（図示略）により筐体を有する制御部１８に固定されている。
【００３４】
鏡筒３１の上端部には、内部の収容空間が搬送方向Ｙに延びる収容部３１ａが形成されている。この収容部３１ａは、上方が開口したケース体であり、その開口には上側から塞ぐように鏡筒カバー４０が取り付けられている。鏡筒カバー４０の上端部は、第１凹部２４Ａ，２４Ｂの開口部２４ｂに挿入されている。鏡筒カバー４０の上部には、透光部材の一例として、光の透過を許容する無色透明の透光ガラス５０が固定されている。透光ガラス５０は、開口部２４ｂを塞いでいる。
【００３５】
収容部３１ａ及び鏡筒カバー４０により形成された収容空間には、連続紙Ｐの裏面に光を照射する光照射部３３が配置されている。光照射部３３は、一例として、発光ダイオード（ＬＥＤ）が用いられている。光照射部３３は、幅方向Ｘ側から光が連続紙Ｐの裏面に対して斜めに照射されるように配置されている。光照射部３３は、支持面２０ａ上に搬送される連続紙Ｐの裏面側から透光ガラス５０を介して光を連続紙Ｐに向けて照射する。
【００３６】
鏡筒３１内には、上側（媒体支持部２０側）に位置する物体側レンズ３４、及び、物体側レンズ３４よりも下側（制御部１８側）に位置する像側レンズ３５が収容されている。また、物体側レンズ３４と像側レンズ３５との間には、絞り３６が形成されている。
【００３７】
物体側レンズ３４は、光照射部３３から出射されて透光ガラス５０を透過した光が連続紙Ｐの裏面で反射した後に再び透光ガラス５０を透過して鏡筒３１内に入射した反射光を集光させる。物体側レンズ３４は、一例として、テレセントリックレンズが用いられている。像側レンズ３５は、絞り３６を通過した光を集光させる。像側レンズ３５は、一例として、テレセントリックレンズが用いられている。絞り３６は、物体側レンズ３４を通過した光が通過することにより光の範囲を狭くする機能を有する。
【００３８】
制御部１８に収容された鏡筒３１の下端部には、像側レンズ３５により集光された連続紙Ｐの裏面のテクスチャーが結像される撮像面３７ａを有する撮像素子３７が配置されている。撮像素子３７は、一例として、２次元イメージセンサーが用いられている。撮像部３０により撮像された連続紙Ｐの裏面の画像は、制御部１８における搬送装置１２を制御するための制御回路（図示略）に出力される。
【００３９】
図４に示すように、鏡筒カバー４０には、透光ガラス５０を支持する支持壁の一例である一対の第１支持壁４１、一対の第１支持壁４１に対して幅方向Ｘに間隔をおいて形成された第２支持壁４２、及び、第１支持壁４１と第２支持壁４２とを連結する側壁である第３支持壁４３が形成されている。また、鏡筒カバー４０には、幅方向Ｘにおいて光照射部３３に対応する位置に形成され、第１支持壁４１及び第２支持壁４２の下部を連結して鏡筒カバー４０における上壁の一部を構成する第４支持壁４４が形成されている。
【００４０】
図４及び図５に示すとおり、一対の第１支持壁４１の上端面である上面４１ａ、第２支持壁４２の上端面である上面４２ａ、及び、第３支持壁４３の上端面である上面４３ａは、媒体支持部２０の支持面２０ａと上下方向Ｚにおいて同じ高さとなるように形成されている。すなわち、第１凹部２４Ａの底面２４ａから上面４１ａ〜４３ａまでの上下方向Ｚの寸法（高さ寸法Ｚ１）は、第１凹部２４Ａの底面２４ａから支持面２０ａまでの上下方向Ｚの寸法（高さ寸法Ｚ２）と等しい。このため、上面４１ａ〜４３ａは、媒体支持部２０に連続紙Ｐが搬送されたとき、連続紙Ｐを支持する。すなわち、上面４１ａ〜４３ａは、支持面としての機能を有する。また、一対の第１支持壁４１は、透光ガラス５０の表面５１ａよりも上側（支持面２０ａ側）に突出している。透光ガラス５０の表面５１ａは、支持面２０ａよりも下側、すなわち、支持面２０ａよりも噴射部１７（図１参照）から離れて位置している。
【００４１】
なお、「第１凹部２４Ａの底面２４ａから上面４１ａ〜４３ａまでの高さ寸法Ｚ１が第１凹部２４Ａの底面２４ａから支持面２０ａまでの高さ寸法Ｚ２と等しい」とは、加工誤差及び組立誤差等により高さ寸法Ｚ１及び高さ寸法Ｚ２が互いに僅かにずれる範囲を含む。要するに、高さ寸法Ｚ１が高さ寸法Ｚ２と実質的に等しければよい。
【００４２】
なお、図４の破線で示すように、撮像部３０が連続紙Ｐの裏面を精度よく撮像するため、上下方向Ｚにおける物体側レンズ３４の焦点位置は、支持面２０ａに設定されている。すなわち、物体側レンズ３４の焦点位置が透光ガラス５０の表面５１ａよりも上側に設定されている。
【００４３】
図５に示すように、一対の第１支持壁４１は、搬送方向Ｙが長手方向となる。一対の第１支持壁４１である支持壁４１Ａ，４１Ｂは、幅方向Ｘにおいて透光ガラス５０を挟むように間隔をおいて形成されている。一対の第１支持壁４１の搬送方向Ｙの両端部には、空隙が形成されている。一対の第１支持壁４１の間において透光ガラス５０と支持壁２７Ｃとの間には、鏡筒カバー４０と支持壁２７Ｃとにより収容部４５が形成されている。収容部４５は、上方に開口し、透光ガラス５０の表面５１ａから下方に凹む凹形状に形成されている。
【００４４】
一対の第１支持壁４１のうちの第２凹部２６Ａ側の支持壁４１Ａは、第１凹部２４Ａ内に位置している。この支持壁４１Ａは、第１凹部２４Ａ及び第２凹部２６Ａの境界壁となる支持壁２７Ｂと、第１凹部２４Ａ，２４Ｂの境界壁となる支持壁２７Ａとの間の幅方向Ｘの略中央部に位置している。
【００４５】
一対の第１支持壁４１のうちの第２凹部２６Ｂ側の支持壁４１Ｂは、第１凹部２４Ａ，２４Ｂの境界壁となる支持壁２７Ａの一部を構成している。この支持壁４１Ｂは、第１凹部２４Ａ，２４Ｂの支持壁２７Ａの搬送方向Ｙの上流側端部として構成されている。
【００４６】
第２支持壁４２は、搬送方向Ｙが長手方向となる。第２支持壁４２は、第１凹部２４Ａ，２４Ｂの境界壁となる支持壁２７Ａと、第１凹部２４Ｂ及び第２凹部２６Ｂの境界壁となる支持壁２７Ｂとの幅方向Ｘの略中央部に位置している。第２支持壁４２は、媒体支持部２０の搬送方向Ｙの上流側端部に形成されている。
【００４７】
第３支持壁４３は、第１凹部２４Ｂ内に位置している。第３支持壁４３は、幅方向Ｘが長手方向となり、支持壁４１Ｂの搬送方向Ｙの上流側端部と、第２支持壁４２の搬送方向Ｙの上流側端部とを連結している。第３支持壁４３が配置される第１凹部２４の搬送方向Ｙの上流側端部には、切欠部２４ｃが形成されている。第３支持壁４３は、第１凹部２４内における切欠部２４ｃの形成された位置に配置されている。そして、この切欠部２４ｃ内において、第３支持壁４３は、支持壁２７Ｃの一部を構成している。
【００４８】
鏡筒カバー４０の上壁の一部である第４支持壁４４は、幅方向Ｘ及び搬送方向Ｙにより形成される平面と平行な面として形成されている。第４支持壁４４の上面４４ａは、第１凹部２４Ｂの底面２４ａと面一となっている。そして、第４支持壁４４は、開口部２４ｂの一部を上側から覆っている。
【００４９】
第１凹部２４Ａに形成された吸引孔２３は、媒体支持部２０のうち吸引ファン２８の駆動に伴い透光ガラス５０の表面５１ａに沿う気流を発生させ得る位置に形成されている。より具体的には、第１凹部２４Ａに形成された吸引孔２３は、透光ガラス５０の周囲に形成されている一対の第１支持壁４１及び支持壁２７Ｃのうち、搬送方向Ｙの下流側端部の開口している部分の延長線上に形成されている。第１凹部２４Ａに形成された吸引孔２３は、幅方向Ｘにおいて一対の第１支持壁４１の間に位置し、搬送方向Ｙにおいて透光ガラス５０よりも下流側に位置している。第１凹部２４Ａに形成された吸引孔２３は、第１凹部２４Ｂの吸引孔２３よりも搬送方向Ｙの上流側に位置している。
【００５０】
第１凹部２４Ｂに形成された吸引孔２３は、幅方向Ｘにおいて第１凹部２４Ｂの略中央部に位置し、搬送方向Ｙにおいて鏡筒カバー４０の第４支持壁４４よりも下流側に位置している。
【００５１】
次に、図６を参照して、透光ガラス５０の構成について説明する。
図６に示すとおり、透光ガラス５０の表面５１ａには、帯電防止膜６１が成膜されている。また、帯電防止膜６１の上側には、防汚処理膜６２が成膜されている。なお、表面５１ａは、「一方の面」に相当し、表面５１ａと反対側の面である裏面５１ｂは、「他方の面」に相当する。
【００５２】
帯電防止膜６１は、一例として、酸化インジウムに数％の酸化スズを添加した化合物が用いられている。帯電防止膜６１は、スパッタリング法、イオンプレーティング法、又は、真空蒸着法により表面５１ａに成膜されている。帯電防止膜６１は、一例として、透光ガラス５０の表面５１ａのうち全面に成膜されている。すなわち、帯電防止膜６１は、透光ガラス５０の表面５１ａのうち、光照射部３３（図４参照）により光が照射される領域である照射領域ＲＡを全て含む所定領域に成膜されている。なお、帯電防止膜６１と表面５１ａとの間には、表面５１ａにおける光の反射を低減させる反射防止膜（ＡＲコート）が成膜されている（図示略）。
【００５３】
防汚処理膜６２は、一例として、フッ素化合物が用いられている。防汚処理膜６２は、反射防止膜の水やけを防止する機能を有する。
透光ガラス５０は、所定領域に導電部材７０が取り付けられていることにより接地されている。導電部材７０は、一例として、銅線が用いられている。
【００５４】
図１、図６、及び、図７を参照して、プリンター１１の作用について説明する。
プリンター１１の内部、例えば、媒体支持部２０及びその周辺には、連続紙Ｐの表面繊維が剥離して粉状になった紙粉、及び、塵埃等の異物が存在することがある。このため、透光ガラス５０が帯電している場合、これらの異物が静電誘導により透光ガラス５０の表面５１ａに引き寄せられることがある。
【００５５】
図６に示すとおり、透光ガラス５０の表面５１ａには、帯電防止膜６１が成膜され、且つ所定領域に導電部材７０が取り付けられていることにより、透光ガラス５０が接地されている。このため、紙粉及び塵埃等の異物が静電誘導により、透光ガラス５０の表面５１ａに引き寄せられにくい。このため、静電誘導により透光ガラス５０の表面５１ａに異物が付着しにくい。また、仮に、静電誘導又は静電誘導以外の理由により、透光ガラスの５１の表面５１ａに異物が付着した場合、以下の方法により、表面５１ａから異物が除去される。
【００５６】
図７に示すとおり、連続紙Ｐが第１凹部２４Ａに形成された吸引孔２３上を通過するとき、吸引ファン２８（図１参照）が吸引する。このため、連続紙Ｐと第１凹部２４との間に形成される空間内に空気が導入される。これにより、連続紙Ｐと第１凹部２４との間の空間内には、搬送方向Ｙの上流側から下流側に向かう気流が発生する。この気流は、図７の一点鎖線の矢印で示すように、鏡筒カバー４０の一対の第１支持壁４１により透光ガラス５０の表面５１ａ上に案内される。これにより、気流が透光ガラス５０の表面５１ａ上を通過する。透光ガラス５０の表面５１ａ上を通過した気流は、一対の第１支持壁４１及び支持壁２７Ｃにより形成される搬送方向Ｙに開口している部分を通過する。これにより、透光ガラス５０の表面５１ａに付着した異物が気流により搬送方向Ｙの下流側に移動するため、透光ガラス５０の表面５１ａから異物が除去される。透光ガラス５０の表面５１ａから除去された異物の多くは、吸引孔２３に入り込む。
【００５７】
本実施形態のプリンター１１によれば、以下に示す効果を得ることができる。
（１）透光ガラス５０の表面５１ａに帯電防止膜６１が成膜されているため、紙粉及び塵埃等の異物が静電誘導により透光ガラス５０の表面５１ａに引き寄せられにくい。これにより、透光ガラス５０の表面５１ａに異物が付着しにくい。このため、撮像部３０による連続紙Ｐの撮像精度が低下することが抑制される。
【００５８】
（２）連続紙Ｐを下方から撮像する構成においては、透光ガラス５０が連続紙Ｐの下方に位置するため、透光ガラス５０の表面５１ａに異物が落ちることがある。このように、仮に、静電誘導以外の要因で透光ガラス５０の表面５１ａに異物が付着した場合、吸引ファン２８が発生する気流により透光ガラス５０の表面５１ａから異物が取り除かれる。このように、透光ガラス５０の表面５１ａに異物が存在しにくくなるため、撮像部３０による連続紙Ｐの撮像精度が低下することが抑制される。
【００５９】
（３）透光ガラス５０は、所定領域に取り付けられた導電部材７０により接地されているため、透光ガラス５０のうち照射領域ＲＡが帯電することがより抑制される。このため、撮像部３０による連続紙Ｐの撮像精度が低下することがより抑制される。
【００６０】
（４）給紙ローラー対１３により搬送された連続紙Ｐは、支持壁２７Ａ，２７Ｂ，２７Ｃ，４１，４２，４３，４４により支持される。一方、透光ガラス５０の表面５１ａは、支持面２０ａよりも噴射部１７から離れて位置している。このため、連続紙Ｐの裏面と透光ガラス５０の表面５１ａとが直接的に接触しにくい。このため、透光ガラス５０が摩擦帯電しにくい。
【００６１】
（５）透光ガラス５０の表面５１ａ上に存在している異物は、吸引ファン２８が発生させた気流により、一対の第１支持壁４１及び支持壁２７Ｃに囲まれた空間から支持壁４１Ａ，４１Ｂ，２７Ｃのうちの搬送方向Ｙの下流側端部の開口している部分を介して外部に運ばれる。開口している部分の延長線上には、吸引孔２３が形成されているため、支持壁４１Ａ，４１Ｂ，２７Ｃに囲まれた空間から外部に運ばれた異物が吸引孔２３に入り込みやすい。このため、透光ガラス５０の表面５１ａから異物が取り除かれやすい。
【００６２】
（６）一対の第１支持壁４１には、一対の第１支持壁４１の搬送方向Ｙの端部を幅方向Ｘに連結する壁が形成されていないため、開口している部分が形成されている。この構成によれば、使用者が透光ガラス５０の表面５１ａを刷毛、綿棒等の清掃部材により清掃することにより、透光ガラス５０の表面５１ａに付着した紙粉等の異物を透光ガラス５０よりも搬送方向Ｙの上流側及び下流側に除去することができる。このため、透光ガラス５０の清掃が容易となる。
【００６３】
なお、上記実施形態は、以下のような別の実施形態に変更してもよい。
・上記実施形態において、透光ガラス５０の裏面５１ｂに帯電防止膜６１を成膜することもできる。
【００６４】
透光ガラス５０の一方の面及び他方の面のうち、連続紙Ｐと面する面である表面５１ａとなる面は、製造者が透光ガラス５０を媒体支持部２０に組み付けるときに決定される。この別の実施形態のプリンター１１によれば、帯電防止膜６１が透光ガラス５０の一方の面及び他方の面の両方に形成されているため、製造者は、透光ガラス５０を媒体支持部２０に組み付けるときに、透光ガラス５０の一方の面及び他方の面のいずれの面も表面５１ａとして選択することができる。このため、透光ガラス５０を媒体支持部２０に組み付けるときの作業効率が高められる。
【００６５】
・上記実施形態において、帯電防止膜６１は、透光ガラス５０の表面５１ａのうち照射領域ＲＡの少なくとも一部を含む所定領域に成膜されていればよい。
・上記実施形態において、第１凹部２４内に形成される吸引孔２３は２個以上であってもよい。
【００６６】
・上記実施形態において、防汚処理膜６２を省略することもできる。
・上記実施形態において、吸引ファン２８に代えて、又は、吸引ファン２８に加えて、透光ガラス５０の表面５１ａに空気等の気体を送る気流発生部を備えていてもよい。
【００６７】
・上記実施形態において、鏡筒カバー４０が第１凹部２４Ａ，２４Ｂの全体を構成してもよい。
・上記実施形態において、一対の第１支持壁４１の少なくとも一方を媒体支持部２０と一体的に形成してもよい。
【００６８】
・上記実施形態において、一対の第１支持壁４１の少なくとも一方を省略してもよい。
・上記実施形態において、一対の第１支持壁４１の搬送方向Ｙの端部を幅方向Ｘに連結する壁を形成してもよい。この場合、一対の第１支持壁４１の搬送方向Ｙの端部を幅方向Ｘに連結する壁には、開口が形成されていることが好ましい。
【００６９】
・上記実施形態において、鏡筒カバー４０の第２支持壁４２がリブ２５の一部のみを形成してもよい。
・上記実施形態において、鏡筒カバー４０の第２支持壁４２を省略してもよい。
【００７０】
・上記実施形態において、第１凹部２４に形成されたリブ２５は２個以上であってもよい。この場合、複数のリブ２５は、幅方向Ｘに間隔をおいて形成される。
・上記実施形態において、第１凹部２４のリブ２５を省略してもよい。
【００７１】
・上記実施形態において、媒体支持部２０よりも給紙ローラー対１３側の空間と、第１凹部２４Ａと連続紙Ｐとの間の空間とを連通する連通部を、第１凹部２４Ａを構成する支持壁２７Ｃに形成してもよい。これにより、連続紙Ｐが搬送されるとき、連通部を介して第１凹部２４Ａと連続紙Ｐとの間の空間に外気が導入される。このため、図７の一点鎖線の矢印で示す気流が発生しやすくなる。
【００７２】
・上記実施形態において、物体側レンズ３４の焦点位置を透光ガラス５０の表面５１ａよりも上側、且つ媒体支持部２０の支持面２０ａよりも下側の範囲内に設定してもよい。
吸引ファン２８により吸引孔２３を介して連続紙Ｐが下方に吸引されたとき、連続紙Ｐは第１凹部２４Ａにおいて下方に撓む。撮像部３０は、第１凹部２４Ａ上の連続紙Ｐの裏面を撮像するため、下方に撓んだ連続紙Ｐを撮像することとなる。そこで、この別の実施形態の構成によれば、物体側レンズ３４の焦点位置を支持面２０ａよりも下側に設定しているため、下方に撓んだ連続紙Ｐの裏面に焦点を合わせることができる。したがって、連続紙Ｐの裏面をより精度よく撮像することができる。
【００７３】
・液体噴射装置は、サーマルジェットプリンターに適用してもよいし、ソリッドインクジェットプリンターに適用してもよい。
・液体噴射装置は、シリアルプリンターに適用してもよいし、ラインプリンターに適用してもよいし、ページプリンターに適用してもよい。
【００７４】
・媒体は連続紙に限定されず、樹脂製のフィルム、金属箔、金属フィルム、樹脂と金属の複合体フィルム（ラミネートフィルム）、織物、不織布、及び、セラミックシートなどであってもよい。
【００７５】
・噴射部１７から微小量の液滴となって吐出される液体の状態としては、粒状、涙状、糸状に尾を引くものも含むものとする。また、ここでいう液体は、噴射部１７から噴射させることができるような材料であればよい。例えば、物質が液相であるときの状態のものであればよく、粘性の高い又は低い液状体、ゾル、ゲル水、その他の無機溶剤、有機溶剤、溶液、液状樹脂のような流状体を含むものとする。また、物質の一状態としての液体のみならず、顔料などの固形物からなる粒子が溶媒に溶解、分散又は混合されたものなども含むものとする。液体がインクである場合、インクとは一般的な水性インク及び油性インク並びにジェルインク、ホットメルトインク等の各種液体組成物を包含するものとする。
【符号の説明】
【００７６】
１１…液体噴射装置の一例としてのプリンター、１３…搬送部の一例としての給紙ローラー対、１７…噴射部、２０…媒体支持部、２３…吸引孔、３０…撮像部、５０…透光部材の一例としての透光ガラス、５１ａ…一方の面の一例としての表面、５１ｂ…他方の面の一例としての裏面、６１…帯電防止膜、７０…導電部材、Ｐ…媒体の一例としての連続紙。
【図１】
2015189532.tif 000003
【図２】
2015189532.tif 000004
【図３】
2015189532.tif 000005
【図４】
2015189532.tif 000006
【図５】
2015189532.tif 000007
【図６】
2015189532.tif 000008
【図７】
2015189532.tif 000009